(57)【要約】【課題】所望のタイミングで容易に筒体内の内容物を排出することができ、外観も良好な花立てを提供する。【解決手段】花立て１は、両端にそれぞれ開口部２１，２２を有する筒体２と、筒体２の一端側の開口部２１を閉塞可能な閉塞部材４と、一端側の開口部２１および閉塞部材４を覆うとともに、一端側の開口部２１を外部と通じさせる排出口を有する筒受部材３とを備える。筒体２は、筒受部材３に該筒体２の延伸方向に沿って変位可能に取り付けられ、一端側の開口部２１が閉塞部材４に当接する第１の位置と、一端側の開口部２１が閉塞部材４から離間する第２の位置との間を変位する構成を有する。【選択図】図３
2019100009.tif 000002
【特許請求の範囲】
【請求項１】
両端にそれぞれ開口部を有する筒体と、
前記筒体の一端側の開口部を閉塞可能な閉塞部材と、
前記一端側の開口部および前記閉塞部材を覆うとともに、前記一端側の開口部を外部と通じさせる排出口を有する筒受部材と
を備え、
前記筒体は、前記筒受部材に該筒体の延伸方向に沿って変位可能に取り付けられ、前記一端側の開口部が前記閉塞部材に当接する第１の位置と、前記一端側の開口部が前記閉塞部材から離間する第２の位置との間を変位する
ことを特徴とする花立て。
【請求項２】
請求項１に記載の花立てであって、
前記筒体を一端側から他端側に向けて押圧する押圧部材を備え、
前記閉塞部材は、前記一端側の開口部に嵌合される突出部を有し、
嵌合状態にある前記一端側の開口部と前記突出部との摩擦力は、前記押圧部材の押圧力よりも大きい
ことを特徴とする花立て。
【請求項３】
請求項１に記載の花立てであって、
前記筒体の一端側と前記筒受部材とが螺合可能に構成されており、
前記第１の位置は、前記螺合を締めた状態の位置であり、前記第２の位置は、前記螺合を緩めた状態の位置である
ことを特徴とする花立て。
【請求項４】
請求項３に記載の花立てであって、
前記筒受部材は、花立てを設置可能な設置体に設けられている挿込穴に挿込可能に構成され、
前記筒受部材は、前記挿込穴内に設けられている第１の嵌合部と嵌合する回転防止用の第２の嵌合部を有する
ことを特徴とする花立て。
【請求項５】
請求項１から４のいずれかに記載の花立てであって、
前記筒体は、他端側にフランジ部を有しており、
前記筒受部材は、花立てを設置可能な設置体に設けられている挿込穴に挿込可能に構成され、
前記筒体が前記第１の位置にある場合には前記フランジ部と前記設置体とが密接し、前記筒体が前記第２の位置にある場合には前記フランジ部と前記設置体との間に間隙が生じる
ことを特徴とする花立て。
【請求項６】
請求項１から４のいずれかに記載の花立てであって、
前記筒受部材は、花立てを設置可能な設置体に設けられている花立て用の台座と螺合可能な螺合部を有することを特徴とする花立て。
【発明の詳細な説明】
【技術分野】
【０００１】
本発明は、花立てに関する。
【背景技術】
【０００２】
墓前用花立てなどの主に屋外で使用される花立てが知られている。この種の花立ては、有底筒状の筒体（所謂、花筒）を有する構造のものが多く、該筒体内に水を溜めて、そこに挿した生花に水を吸わせることができる構造を有している。例えば、墓前用花立ての場合、お墓を訪れた人は生花が枯れる頃に再度お墓を訪れることは少ないため、通常は、墓地の管理者が筒体内の枯れた花の除去や水の排出を行うことになる。そのため、多くの花立ての管理に対応するには多大な手間がかってしまう。また、雨水溜まり等も除去することが望ましいが、多くの場合、筒体内に溜まった水は放置されている。そのため、ボウフラの発生や異臭が生じ、特にボウフラは今後予想される外来ウイルス等の増殖の原因にもなりかねないため、大きな社会問題となることが予想される。
【０００３】
このようなことから、この種の花立てにおいては、生花が吸水力を有し生きているうちは筒体内に水を溜めた状態を保持することが好ましいが、生花が吸水力を失った状況や枯れた後、また、生花を挿していない場合などは、筒体内の水が排出されていることが望ましい。
【０００４】
そこで、筒体内の水を排出する技術として、筒体の底面に孔を設け、該孔を塞ぐ部材を、徐々に水が透過する水浸透部材等の水抜き部材で構成するもの（下記の特許文献１を参照）や、経時的に朽ちる葉で構成するもの（下記の特許文献２を参照）とする技術などが提案されている。また、傾斜可能に構成された筒体を傾けることで筒体内の水を排出可能なものも提案されている（特許文献３を参照）。
【先行技術文献】
【特許文献】
【０００５】
【特許文献１】特開２００５−１５５０５０号公報
【特許文献２】特開２０００−１９９３５８号公報
【特許文献３】実公昭３５−０３１５８５
【発明の概要】
【発明が解決しようとする課題】
【０００６】
しかしながら、前述した特許文献１，２に開示されている花立ては、水抜き部材や葉の管理が必要であり、メンテナンスに手間がかかってしまう。また、水抜き部材や葉などによって経時的に筒体内の水が排出される構造であるため、排出したいときに直ぐに排出することができない。一方、前述した特許文献３に開示されている花立てでは、これらの点は改善されるが、筒体内に雨水が溜まらないようにするには、筒体を傾斜させたままにしておかなければならず、見た目が良いものとはいえなかった。
【０００７】
本発明は、このような事情に鑑みてなされたもので、所望のタイミングで容易に筒体内の内容物を排出することができ、外観も良好な花立てを提供することにある。
【課題を解決するための手段】
【０００８】
本発明の花立ては、両端にそれぞれ開口部を有する筒体と、前記筒体の一端側の開口部を閉塞可能な閉塞部材と、前記一端側の開口部および前記閉塞部材を覆うとともに、前記一端側の開口部を外部と通じさせる排出口を有する筒受部材とを備え、前記筒体は、前記筒受部材に該筒体の延伸方向に沿って変位可能に取り付けられ、前記一端側の開口部が前記閉塞部材に当接する第１の位置と、前記一端側の開口部が前記閉塞部材から離間する第２の位置との間を変位することを特徴とする。
【０００９】
本発明では、前記筒体を一端側から他端側に向けて押圧する押圧部材を備え、前記閉塞部材は、前記一端側の開口部に嵌合される突出部を有し、嵌合状態にある前記一端側の開口部と前記突出部との摩擦力は、前記押圧部材の押圧力よりも大きいことが好ましい。
【００１０】
本発明では、前記筒体の一端側と前記筒受部材とが螺合可能に構成されており、前記第１の位置は、前記螺合を締めた状態の位置であり、前記第２の位置は、前記螺合を緩めた状態の位置であることが好ましい。
【００１１】
本発明では、前記筒受部材は、花立てを設置可能な設置体に設けられている挿込穴に挿込可能に構成され、前記筒受部材は、前記挿込穴内に設けられている第１の嵌合部と嵌合する回転防止用の第２の嵌合部を有することがより好ましい。
【００１２】
本発明では、前記筒体は、他端側にフランジ部を有しており、前記筒受部材は、花立てを設置可能な設置体に設けられている挿込穴に挿込可能に構成され、前記筒体が前記第１の位置にある場合には前記フランジ部と前記設置体とが密接し、前記筒体が前記第２の位置にある場合には前記フランジ部と前記設置体との間に間隙が生じることが好ましい。
【００１３】
本発明では、前記筒受部材は、花立てを設置可能な設置体に設けられている花立て用の台座と螺合可能な螺合部を有することが好ましい。
【発明の効果】
【００１４】
本発明によれば、所望のタイミングで容易に筒体内の内容物を排出することができ、外観も良好な花立てとすることができる。
【図面の簡単な説明】
【００１５】
【図１】本発明の第１実施形態に係る花立ての構成の一例を示す外観図である。
【図２】花立ての使用状態の一例を示す図である。
【図３】貯水状態での花立ておよび設置体の断面構成の一例を示す図である。
【図４】排水状態での花立ておよび設置体の断面構成の一例を示す図である。
【図５】本発明の第２実施形態に係る花立ての構成の一例を示す外観図である。
【図６】貯水状態での花立ておよび設置体の断面構成の一例を示す図である。
【図７】筒体の構成の一例を示す斜視図である。
【図８】筒受部材の構成の一例を示す斜視図である。
【図９】筒受部材の構成の一例を示す斜視図である。
【図１０】貯水状態での花立ての構成の一例を示す拡大断面図である。
【図１１】排水状態での花立ておよび設置体の断面構成の一例を示す図である。
【図１２】排水状態での花立ての構成の一例を示す拡大断面図である。
【図１３】従来の花立ておよび設置体の構成の一例を示す外観図である。
【図１４】本発明の第３実施形態に係る花立ての構成の一例を示す図である。
【図１５】筒受部材の構成の一例を示す斜視図である。
【図１６】貯水状態での花立ての構成の一例を示す断面図である。
【図１７】排水状態での花立ての構成の一例を示す断面図である。
【発明を実施するための形態】
【００１６】
以下、本発明の実施の形態について図面を参照して説明する。図１に示す本発明の第１実施形態に係る花立て１は、お墓に生花を供える際に用いる墓前用花立てである。具体的には、この花立て１は、図２および図３に示すように、花立て１を設置可能な設置体である墓石１０（一部のみ図示）に設置される。詳述すると、花立て１は、墓石１０に形成されている挿込穴１１（図３参照）に挿し込んで使用される。なお、挿込穴１１の底部には、水抜き穴１２が設けられており、挿込穴１１内に溜まる水を墓石１０の外部に排出可能に構成されている。
【００１７】
図３は、墓石１０に挿し込んだ花立て１を中央部において縦に切断した状態を表す図である。図３に示すように、花立て１は、筒体２と、筒受部材３と、閉塞部材４と、押圧部材５とを備えている。筒体２は、ステンレス、硬質プラスチックなどの比較的丈夫で耐久性に優れた材料によって構成されている。この筒体２は、直線状に延伸する筒形状を有しており、一端側の底面および他端側の天面にそれぞれ開口部２１，２２を有している。具体的には、筒体２は、有底円筒状を有しており、その筒体２の一端側の底面の中央部に孔を設けることで開口部２１が形成されている。また、筒体２の開口部２２は、他端側の筒口（天面の筒口）によって構成されており、筒体２の他端側は、開口部２２に近づくにつれて筒径が大きくなるように漏斗状に形成されている。
【００１８】
筒受部材３は、筒体２と同様、ステンレス、硬質プラスチックなどの材料によって構成されており、筒体２の開口部２１および後述する閉塞部材４を覆う構造を有している。具体的には、筒受部材３は、筒体２の筒外面に沿うように形成された内面と、筒体２の開口部２１に対峙する底面とを備えた有底円筒状に形成されており、筒体２を嵌入可能に構成されている。これにより、筒受部材３に嵌入された筒体２は、筒受部材３の内側で筒体２の延伸方向（図３中における上下方向）に沿って移動可能となっている。このように、筒体２は、筒体２の延伸方向に沿って変位可能に筒受部材３に取り付けられる。なお、筒受部材３は、図１に示すように、一端側の底面近傍、具体的には、底面と接する筒周面の均等４箇所に、内部に溜まる水を排出するための排出口３１を有している。つまり、筒受部材３は、筒体２の開口部２１を花立て１の外部と通じさせる排出口３１を有している。また、筒受部材３は、図３に示すように、他端側の天面近傍に、墓石１０に挿し込んだ際に、墓石１０の天面１３と当接する鍔状のフランジ部３２を有している。
【００１９】
閉塞部材４は、筒体２の開口部２１を閉塞可能な部材であり、筒体２の底面と対峙する筒受部材３の底面の筒体２側に設置されている。具体的には、閉塞部材４は、筒受部材３に嵌入された筒体２の開口部２１に向かって突出する突出部４１を有しており、この突出部４１は、筒体２の開口部２１に嵌合されるとともに、基端部から先端部に向かって先細りする形状、すなわち、テーパ状の外面を有している。これにより、筒体２の開口部２１および閉塞部材４の突出部４１の嵌合をスムーズに行うことができるように構成されている。なお、閉塞部材４は、ゴム、樹脂などの弾性体によって構成されており、筒体２の開口部２１にこの突出部４１が圧入された際に開口部２１および突出部４１間から水が漏れない構造を有している。なお、図３に示すように、花立て１内に水を保持できる貯水状態では筒受部材３のフランジ部３２が墓石１０の天面１３と当接するように、筒受部材３の底面と墓石１０の挿込穴１１の底面との間には、僅かに隙間ができるようにしてある。
【００２０】
押圧部材５は、筒体２を一端側から他端側（図３における筒受部材３に嵌入された筒体２の延伸方向の上方）に向けて押圧する部材である。押圧部材５は、具体的には、コイル状の圧縮バネで構成されており、図３に示すように、閉塞部材４の突出部４１にコイル部分を嵌め入れることで一端側が閉塞部材４に固定され、他端側が筒体２の底面に当接される状態で設置される。このように、押圧部材５は、筒体２の自重に抗し、突出部４１と筒体２の開口部２１間を離間するように配置される。なお、嵌合状態にある筒体２の開口部２１と閉塞部材４の突出部４１との摩擦力は、押圧部材５の押圧力よりも大きくなるように構成されている。
【００２１】
次に、この花立て１の動作について説明する。図４に示す筒体２が上方に位置する排水状態（筒体２が押圧部材５によって支持される状態）から、使用者の手押しなどにより筒体２を支持する押圧部材５の押圧力、すなわち圧縮バネの反力に抗する力で筒体２が押し下げられると、図３に示すように、筒体２の開口部２１が閉塞部材４の突出部４１に対して圧入状態となり、両者が嵌合し、その突出部４１と開口部２１との摩擦力により押し下げられた状態（図３に示す状態）が維持される。つまり、筒体２の開口部２１が閉塞部材４によって閉塞され、水が外部に排水されない状態（貯水状態）が維持される。その状態で筒体２内に水が貯められると、その重さによりさらに圧入力は強くなり、筒体２内の水は確実に保持される。
【００２２】
一方、使用者が手で押さえるなどして筒受部材３のフランジ部３２が固定された状態で、筒体２が使用者の手などにより他端部方向（図３に示す上方）に持ち上げられると、閉塞部材４の突出部４１と筒体２の開口部２１の圧入状態が解除され、筒体２内の水は筒体２の開口部２１および筒受部材３の排出口３１を経由して花立て１の外部に排出される。そして、押圧部材５によって筒体２と閉塞部材４とが離間された状態（図４に示す排水状態）が維持される。このように、花立て１は、筒体２の開口部２１が閉塞部材４に当接する第１の位置（図３に示す位置）と、開口部２１が閉塞部材４から離間する第２の位置（図４に示す位置）との間を変位可能であり、第１の位置にある場合には貯水状態となり、第２の位置にある場合には排水状態となるように構成されている。
【００２３】
以上説明したように、本発明の第１実施形態に係る花立て１によれば、使用者が筒体２を押し引きすることで貯水状態と排水状態とを切り替えることができるので、所望のタイミングに簡単な操作で筒体２内の水を排出することができる。これにより、筒体２内に水が滞留することを防いで、ボウフラの発生、異臭等を防止することができる。特に、筒体２を押し引きすることにより排水状態を切り替える構成であるので、筒体２の突出状態により、見た目で貯水状態か排水状態かを判断することができる。また、筒体２の押し引きによる触感によっても貯水状態か排水状態かを判断することができる。これにより、簡単かつ確実に排水状態を切り替えることができる。
【００２４】
また、この花立て１では、外観上見える部材は、筒体２および筒受部材３のみであり、筒体２および筒受部材３は、上述した構成を有するため、従来の墓前用花立てと殆ど変わらない外観とすることができる。加えて、筒受部材３に取り付けられた筒体２を、筒体２の延伸方向に沿って変位させる（図３中においては上下動させる）だけで貯水状態と排水状態とを切り替えることができるので、貯水時も排水時も殆ど変わらない外観とすることができる。したがって、外観を良好なものとすることができる。
【００２５】
また、この花立て１では、筒体２を第１の位置にして貯水状態とした場合に、筒体２の開口部２１と閉塞部材４の突出部４１の摩擦力が押圧部材５の押圧力よりも大きいため、その後もその貯水状態を維持することができる。これにより、排水状態に切り替えられるまで筒体２内に水を貯めることができ、生花に水を吸わせることができる。一方、筒体２を第２の位置にして排水状態とした場合には、押圧部材５の押圧力によって筒体２が他端部方向（図４中においては上方）に押されるため、その後もその排水状態を維持することができる。これにより、貯水状態に切り替えられるまで筒体２内に水が滞留することを防止できるので、ボウフラの発生、異臭等を長期に亘って防止することができる。
【００２６】
次に、本発明の第２実施形態について説明する。なお、以下では、前述した第１実施形態と同様の構成については、同一の符号を付して説明を省略する。図５および図６に示す第２実施形態に係る花立て１Ａは、第１実施形態で説明したものと同様、墓前用花立てであり、筒体２Ａと、筒受部材３Ａと、閉塞部材４Ａ（図６参照）とを備えている。筒体２Ａは、第１実施形態と同様、ステンレス、硬質プラスチックなどを材料とし、図７に示すように、直線状に延伸する筒形状を有し、一端側の底面および他端側の天面にそれぞれ開口部２１Ａ，２２を有している。具体的には、筒体２Ａは、円筒状を有しており、開口部２１Ａは、その筒体２Ａの一端側の筒口（底面の筒口）によって構成されている。この筒体２Ａの一端側の筒外面と、後述する筒受部材３Ａ（図８参照）の内面とは、螺合可能に構成されている。具体的には、筒体２Ａの一端側の筒径は、他の部分よりも若干小さく構成されており、その筒外面には、図７に示すように、ネジ山が設けられた雄ネジ部２３を有している。また、筒体２Ａの他端側の天面近傍には、図６に示す墓石１０Ａの挿込穴１１Ａに挿し込んだ際に、墓石１０Ａの天面１３と当接するフランジ部２４が一体的に設けられている。
【００２７】
筒受部材３Ａは、ステンレス、硬質プラスチックなどを材料とし、筒体２Ａの開口部２１Ａおよび後述する閉塞部材４Ａ（図６参照）を覆う構造を有している。具体的には、筒受部材３Ａは、図８および図９に示すように、筒体２Ａの筒外面に沿った内面と、開口部２１Ａに対峙する底面とを備えた有底円筒状を有しており、筒体２Ａの底面近傍を包み込むとともに、筒体２Ａを嵌入可能に構成されている。具体的には、筒受部材３Ａの内面には、ネジ溝が設けられた雌ネジ部３３が設けられており、筒体２Ａの一端側の筒外面と螺合可能に構成されている。これにより、筒受部材３Ａに嵌入された筒体２Ａは、筒受部材３Ａの内側で筒体２Ａの延伸方向（図６中における上下方向）に沿って移動可能となっている。また、図９に示すように、筒受部材３Ａの底面の裏面には、墓石１０Ａの挿込穴１１Ａの底部に設けられている第１の嵌合部である凹部１４（図６参照）と嵌合する第２の嵌合部である多面体、具体的には、正方体状の凸部３４が設けられている。
【００２８】
図６に示す閉塞部材４Ａは、筒体２Ａの開口部２１Ａを閉塞可能な部材であり、筒体２Ａの底面と対峙する筒受部材３Ａの底面の筒体２Ａ側に設けられている。具体的には、閉塞部材４Ａは、ゴム、樹脂などの弾性体によって構成され、筒受部材３Ａの底面に嵌まる円盤状を有しており、筒体２Ａの開口部２１Ａに閉塞部材４Ａが圧接された際に筒体２Ａの開口部２１Ａおよび閉塞部材４Ａ間から水が漏れない構造を有している。このように、閉塞部材４Ａの上面は筒体２Ａの開口部２１Ａに当接可能に設けられ、下面は、筒受部材３Ａに支持される。
【００２９】
以上のような構成により、筒体２Ａおよび筒受部材３Ａを互いの雄ネジ部２３および雌ネジ部３３を用いて螺合することで、筒体２Ａ、筒受部材３Ａおよび閉塞部材４Ａを一体的に取り扱うことができる。この一体的に組み立てられたものが花立て１Ａとなる。なお、図６に示すように、花立て１Ａ内に水を保持できる貯水状態では筒体２Ａのフランジ部２４が墓石１０Ａの天面１３と当接し、筒受部材３Ａの底面と墓石１０Ａの挿込穴１１Ａの底面との間には、僅かに隙間ができるようにしてある。
【００３０】
次に、花立て１Ａの動作について説明する。筒体２Ａ内に水を溜める場合は筒体２Ａと筒受部材３Ａの螺合状態を締め込み、図１０の拡大図に示すように、閉塞部材４Ａを筒体２Ａの底面の開口部２１Ａに圧接させる。これにより、貯水状態が保持される。この際、図６に示すように、花立て１Ａが墓石１０Ａに収まり良く収容されていることを示すために、フランジ部２４と墓石１０Ａの天面１３とは当接する。
【００３１】
一方、筒体２Ａと筒受部材３Ａの螺合状態を緩めることで、はじめ筒受部材３Ａが僅かに下方に移動し、筒受部材３Ａと墓石１０Ａの挿込穴１１Ａの底面とが当接する。さらに螺合状態を緩めると、図１１に示すように、筒体２Ａのフランジ部２４は墓石１０Ａの天面１３から離間する。この過程で、図１２に示すように、筒体２Ａの開口部２１Ａと閉塞部材４Ａとが離間し、筒体２Ａ内の水は開口部２１Ａおよび筒受部材３Ａの排出口３１（図５）を介して排出され、さらに墓石１０Ａの水抜き穴１２を経由して墓石１０Ａの外に排出される。螺合状態が自然に締まることはないため、この排出状態はそのまま維持される。このように、花立て１Ａは、筒体２Ａの開口部２１Ａが閉塞部材４Ａに当接する第１の位置（図６に示す位置）と、開口部２１Ａが閉塞部材４Ａから離間する第２の位置（図１１に示す位置）との間を変位可能であり、第１の位置にある場合には貯水状態となり、第２の位置にある場合には排水状態となるように構成されている。
【００３２】
以上説明したように、本発明の第２実施形態に係る花立て１Ａによれば、使用者が筒体２Ａを回転させて螺合状態を変えるという簡単な動作で貯水状態と排水状態とを切り替えることができるので、所望のタイミングに簡単な操作で筒体２Ａ内の水を排出することができる。これにより、筒体２Ａ内に水が滞留することを防いで、ボウフラの発生、異臭等を防止することができる。特に、筒体２Ａの締め付け状態を変化させることにより排水状態を切り替える構成であるので、それに伴う筒体２Ａの突出状態により、見た目で貯水状態か排水状態かを判断することができる。また、筒体２Ａの締め付け具合による触感によっても貯水状態か排水状態かを判断することができる。これにより、簡単かつ確実に排水状態を切り替えることができる。螺合状態が切り替えられるまでは、貯水状態または排水状態を維持することができるので、貯水状態または排水状態を安定的に保持することができる。また、第１実施形態の花立て１で用いた押圧部材５が必要ないため、部品点数を少なくすることができる。さらに、螺合状態を調整することで、排水量を調整することができ、徐々に水が抜けるようにするといったことも可能となる。
【００３３】
また、筒受部材３Ａは、墓石１０Ａの挿込穴１１Ａに挿し込まれた際に、回転防止用の嵌合部として、墓石１０Ａの挿込穴１１Ａに形成されている凹部１４と嵌合する凸部３４を有しているので、筒体２Ａを回転させた際に、筒体２Ａと共に筒受部材３Ａが回転してしまうことを防止でき、螺合状態を変える際における空回りを防止することができる。
【００３４】
さらに、筒体２Ａと筒受部材３Ａとの螺合状態を緩めると筒体２Ａが持ち上がり、筒体２Ａのフランジ部２４が墓石１０Ａの天面１３と離間することになるので、使用者等は、墓石１０Ａの天面１３と筒体２Ａのフランジ部２４との間の間隙を視認することで排出状態であるか否かを簡単に認識することができる。
【００３５】
次に、本発明の第３実施形態について説明する。前述した第１実施形態および第２実施形態では、花立て１，１Ａがそれぞれ墓石１０，１０Ａに収まる形態（埋め込まれる形態）で使用されるものとして説明したが、本実施形態では、墓石の上に設置される点が相違する。図１３に示すように、この種の墓石１０Ｂは、天面１３に従来の花立て１００を設置するための台座１５を有しており、この台座１５に対して、ネジ機構（図示略）で花立て１００が固定される。この花立て１００は、前述したネジ機構による螺合を外し、台座１５と花立て１００とを分離して、内部の水を廃棄できる構造となっている。
【００３６】
本実施形態では、この種の墓石１０Ｂに適応できる構造を有している。すなわち、図１４に示す本実施形態に係る花立て１Ｂは、筒体２Ｂと、筒受部材３Ｂと、閉塞部材４Ａとを備え、墓石１０Ｂに取り付けられる構造を備えている。なお、この花立て１Ｂは、筒体２Ｂおよび筒受部材３Ｂの構造が前述した第２実施形態と相違し、他の構成は同様である。
【００３７】
筒体２Ｂは、前述した第２の実施形態での筒体２Ａにおけるフランジ部２４が設けられていない点および一端側から他端側に向かって筒径が若干大きくなるように構成されている点が第２実施形態の筒体２Ａと相違する。他の構成は、筒体２Ａと同様である。このような構成とすることで、デザイン性を向上させることができる。
【００３８】
筒受部材３Ｂは、墓石１０Ｂの台座１５と螺合可能に構成されている。具体的には、筒受部材３Ｂは、図１５に示すように、底面の中央部に円筒状の突起部３５を備えており、その筒外面には、墓石１０Ｂの台座１５に設けられているネジ山で構成された螺合部１６（図１４参照）と螺合可能なネジ溝で構成された螺合部３６を有している。また、筒受部材３Ｂは、筒受部材３Ｂに設けられた排出口３１が外側から見えにくくなるように目隠し用フランジ部３７が設けられている。
【００３９】
このような構成を有する花立て１Ｂは、以下のように設置される。つまり、図１４に示すように、墓石１０Ｂの台座１５が有する螺合部１６と、筒受部材３Ｂの突起部３５に設けられた螺合部３６（図１５参照）とを螺合させ、墓石１０Ｂと筒受部材３Ｂとを固定する。そして、筒受部材３Ｂに設けられた雌ネジ部３３と筒体２Ｂに設けられた雄ネジ部２３とを螺合させ、筒体２Ｂを筒受部材３Ｂに固定する。図１５および図１６に示すように、筒受部材３Ｂの底面には、前述した排出口３１および閉塞部材４Ａが設けられており、前述した第２実施形態で説明したのと同様に動作させることができる。つまり、花立て１Ｂは、筒体２Ｂの開口部２１Ａが閉塞部材４Ａに当接する第１の位置（図１６に示す位置）と、開口部２１Ａが閉塞部材４Ａから離間する第２の位置（図１７に示す位置）との間を変位可能であり、第１の位置にある場合には貯水状態となり、第２の位置にある場合には排水状態となる。
【００４０】
以上説明したように、本発明の第３実施形態に係る花立て１Ｂによれば、筒受部材３Ｂは、墓石１０Ｂの上面に設けられている花立て用の台座１５と螺合可能な螺合部３６を有しているので、従来の螺合により花立てを取り付け可能な墓石１０Ｂに容易に花立て１Ｂを設置することができ、さらに、前述した第２実施形態の花立て１Ａと同様の作用効果を奏することができる。
【００４１】
本発明は、前述した第１〜第３実施形態で説明したものに限らず、種々の変形が可能である。例えば、前述した第１実施形態の花立て１では、筒体２の開口部２１と閉塞部材４の突出部４１の圧入状態を解除する際に、筒受部材３のフランジ部３２を手で固定するように説明したが、これに限らず、筒受部材３と墓石１０とをネジやラッチ機構などの固定具で固定する構成を採用することで、手を添える必要がなくなるようにしてもよい。これにより、より簡単に排水作業を行うことができる。なお、この際、前述した第１実施形態では、筒受部材３に鍔状のフランジ部３２を設ける構成としたが、第２実施形態の筒体２Ａのフランジ部２４と同様に、筒体２の他端側に鍔状のフランジ部を設けてもよい。これにより、第２実施形態の場合と同様に、墓石１０と当該フランジ部との間隙によって排出状態であるか否かを容易に把握することができるようになる。
【００４２】
また、前述した第１実施形態では、墓石１０の挿込穴１１に挿し込んで使用する形態について例示したが、これに限らず、前述した第３実施形態で示したように、墓石の天面に設けられている花立て設置用の台座に螺合するように、筒受部材３の底面裏側に第３実施形態で示したものと同様の螺合部を設けた構成としてもよい。これにより、第１の実施形態と第３の実施形態の両方の効果を奏することができる。
【００４３】
さらに、前述した第２実施形態では、筒体２Ａのフランジ部３２を用いて排出状態を認識するようにしたが、これに限ったものではなく、ケガキ線やマークなどの認識手段を用いて認識できるような構成としても同様の効果を得ることができる。
【００４４】
また、前述した第２実施形態では、筒受部材３Ａに設けられた凸部３４と嵌合される凹部１４は墓石１０Ａと一体的に設ける構成としたが、これに限らず、凸部３４と嵌合する凹部を設けた別物品を墓石１０Ａに固定する構成であってもよい。これにより、墓石１０Ａに特別な加工を施す必要がなくなる。また、筒受部材３Ａ側に凹部を形成し、墓石１０Ａ側に当該凹部と嵌合する凸部を形成することで回転を防止する構成であってもよい。
【００４５】
さらに、前述した各実施形態では、閉塞部材４、４Ａを弾性体で構成するとしたが、これに限らず、筒体２、２Ａ、２Ｂの開口部２１，２１Ａの周縁を弾性体で構成したり、閉塞部材４、４Ａおよび開口部２１，２１Ａの周縁の双方を弾性体で構成したりしてもよい。
【００４６】
また、前述した各実施形態では、花立て１，１Ａ，１Ｂを設置する設置体として、墓石１０，１０Ａ，１０Ｂを例示したが、これに限らず、水を排出可能な屋外設置などの環境であれば、他の設置体、例えば、土中などに設置する構成であってもよい。また、筒体２，２Ａ、２Ｂ内に水を溜めて排出することを例示したが、これに限らず、筒体２，２Ａ、２Ｂの内容物は、肥料等が含まれる水溶液など、排出可能な他の流動体であってもよい。
【００４７】
さらに、前述した各実施形態では、排出状態の際に筒体２，２Ａ，２Ｂ内の水は、開口部２１，２１Ａおよび排水口３１を介して外部に排出されるとして説明したが、これらを介する前に筒体２，２Ａ，２Ｂ内に設けられた脱着自在な金網等のゴミ除去部材を介して排出される構成としてもよい。これによれば、枯れ葉等のゴミにより筒受部材３，３Ａ，３Ｂ内が目詰まりすることを防止することができる。
【符号の説明】
【００４８】
１，１Ａ，１Ｂ      花立て
２、２Ａ、２Ｂ      筒体
３，３Ａ，３Ｂ      筒受部材
４、４Ａ      閉塞部材
５      押圧部材
２１，２１Ａ      開口部（一端側）
２２      開口部（他端側）
２３      雄ネジ部
２４，３２      フランジ部
３１      排出口
３３      雌ネジ部
３４      凸部
３５      突起部
３６      螺合部
３７      目隠し用フランジ部
４１      突出部
【図１】
2019100009.tif 000003
【図２】
2019100009.tif 000004
【図３】
2019100009.tif 000005
【図４】
2019100009.tif 000006
【図５】
2019100009.tif 000007
【図６】
2019100009.tif 000008
【図７】
2019100009.tif 000009
【図８】
2019100009.tif 000010
【図９】
2019100009.tif 000011
【図１０】
2019100009.tif 000012
【図１１】
2019100009.tif 000013
【図１２】
2019100009.tif 000014
【図１３】
2019100009.tif 000015
【図１４】
2019100009.tif 000016
【図１５】
2019100009.tif 000017
【図１６】
2019100009.tif 000018
【図１７】
2019100009.tif 000019